(57)【特許請求の範囲】
【請求項１】
車両に搭載される表示器であって、
Ｍ個（前記Ｍは１以上の整数）の発光部を備える第１の表示部であって、前記Ｍ個の発光部のそれぞれは、Ｘ色（前記Ｘは２以上の整数）に対応するＸ個の発光素子を備える、前記第１の表示部と、
Ｎ個（前記Ｎは１以上の整数）の発光部を備える第２の表示部であって、前記Ｎ個の発光部のそれぞれは、Ｙ色（前記Ｙは前記Ｘ未満かつ１以上の整数）に対応するＹ個の発光素子を備える、前記第２の表示部と、
第１の画像を前記第１の表示部に表示させるための第１の表示データと、第２の画像を前記第２の表示部に表示させるための第２の表示データと、を記憶するためのメモリであって、前記第１の表示データは、前記Ｍ個の発光部に対応するＭ個の階調データを含み、前記第２の表示データは、前記Ｎ個の発光部に対応するＮ個の階調データを含む、前記メモリと、
前記Ｍ個の階調データと第１の点灯時間率とに従って前記Ｍ個の発光部を制御すると共に、前記Ｎ個の階調データと第２の点灯時間率とに従って前記Ｎ個の発光部を制御して、前記第１の画像及び前記第２の画像の双方を同時的に前記第１の表示部及び前記第２の表示部に表示させる表示制御部と、を備え、
前記表示制御部は、前記Ｍ個の発光部のうちの１個の発光部を構成する前記Ｘ個の発光素子が、所定色を表現するための前記階調データと、所定の点灯時間率と、に従って発光する場合の第１の光度と、前記Ｎ個の発光部のうちの１個の発光部を構成する前記Ｙ個の発光素子が、前記所定色を表現するための前記階調データと、前記所定の点灯時間率と、に従って発光する場合の第２の光度と、の比に応じて、前記第１の点灯時間率と前記第２の点灯時間率とを決定する、表示器。
【請求項２】
前記表示制御部は、前記第１の点灯時間率に対する前記第２の点灯時間率の比が前記第２の光度に対する前記第１の光度の比に等しくなるように、前記第１の点灯時間率と前記第２の点灯時間率とを決定する、請求項１に記載の表示器。
【請求項３】
前記表示制御部は、前記Ｍ個の発光部が前記第１の表示データと前記第１の点灯時間率とに従って発光する場合の光度と、前記Ｎ個の発光部が前記第２の表示データと前記第２の点灯時間率とに従って発光する場合の光度と、の合計値が、予め決められている基準光度以下になるように、前記第１の点灯時間率と前記第２の点灯時間率とを決定する、請求項１又は２に記載の表示器。
【発明の詳細な説明】
【技術分野】
【０００１】
本明細書では、車両に搭載される表示器を開示する。
【背景技術】
【０００２】
特許文献１には、バスの前面、後面、側面等に設置される行先表示器が開示されている。行先表示器は、マトリクス状に配置されている複数個の単色ＬＥＤと、チューブ状発光体と、を備える。チューブ状発光体は、赤色、緑色、及び、青色に対応する３個のＬＥＤを光源として有する。
【先行技術文献】
【特許文献】
【０００３】
【特許文献１】特開２００６−３３７３号公報
【発明の概要】
【発明が解決しようとする課題】
【０００４】
特許文献１の表示器において、例えば、白色を表現するための階調データに基づいて単色ＬＥＤを発光させて、同じ白色を表現するための階調データに基づいてチューブ状発光体内の３色のＬＥＤを発光させる状況を想定する。しかしながら、単色ＬＥＤが白色を表現する場合の光度と、３色のＬＥＤが白色を表現する場合の光度と、が異なり得る。このために、ユーザが、単色ＬＥＤによって表現される明るさと、３色ＬＥＤによって表現される明るさと、が異なると知覚し得る。
【０００５】
本明細書では、第１の表示部内の発光部によって表現される明るさと、第２の表示部内の発光部によって表現される明るさと、が異なると知覚されるのを抑制し得る技術を開示する。
【課題を解決するための手段】
【０００６】
本明細書では、車両に搭載される表示器を開示する。表示器は、第１の表示部と、第２の表示部と、メモリと、表示制御部と、を備える。第１の表示部は、Ｍ個（Ｍは１以上の整数）の発光部を備える。Ｍ個の発光部のそれぞれは、Ｘ色（Ｘは２以上の整数）に対応するＸ個の発光素子を備える。第２の表示部は、Ｎ個（Ｎは１以上の整数）の発光部を備える。Ｎ個の発光部のそれぞれは、Ｙ色（Ｙは１以上の整数）に対応するＹ個の発光素子を備える。メモリは、第１の画像を第１の表示部に表示させるための第１の表示データと、第２の画像を第２の表示部に表示させるための第２の表示データと、を記憶する。第１の表示データは、Ｍ個の発光部に対応するＭ個の階調データを含む。第２の表示データは、Ｎ個の発光部に対応するＮ個の階調データを含む。表示制御部は、Ｍ個の階調データと第１の点灯時間率とに従ってＭ個の発光部を制御すると共に、Ｎ個の階調データと第２の点灯時間率とに従ってＮ個の発光部を制御して、第１の画像及び第２の画像の双方を同時的に第１の表示部及び第２の表示部に表示させる。表示制御部は、Ｍ個の発光部のうちの１個の発光部を構成するＸ個の発光素子が、所定色を表現するための階調データと、所定の点灯時間率と、に従って発光する場合の第１の光度と、Ｎ個の発光部のうちの１個の発光部を構成するＹ個の発光素子が、所定色を表現するための階調データと、所定の点灯時間率と、に従って発光する場合の第２の光度と、の比に応じて、第１の点灯時間率と第２の点灯時間率とを決定する。
【０００７】
第１の表示部内の各発光部は、Ｘ色に対応するＸ個の発光素子を備え、第２の表示部内の各発光部は、Ｙ色に対応するＹ個の発光素子を備える。従って、第１の表示部内の発光部の構成は、第２の表示部内の発光部の構成とは異なる。この場合、第１の表示部内の発光部が、所定色を表現するための階調データと、所定の点灯時間率と、に従って発光する場合の第１の光度は、第２の表示部内の発光部が、所定色を表現するための階調データと、所定の点灯時間率と、に従って発光する場合の第２の光度とは異なる。この光度の差が、第１の表示部内の発光部によって表現される明るさと、第２の表示部内の発光部によって表現される明るさと、が異なると知覚され得る要因である。これを抑制するために、上記の構成の表示器は、第１の光度と第２の光度との比に応じて、第１の点灯時間率と第２の点灯時間率とを決定する。そして、表示器は、第１の点灯時間率に従って第１の表示部内の各発光部を制御すると共に、第２の点灯時間率に従って第２の表示部内の各発光部を制御する。これにより、第１の表示部内の発光部によって表現される明るさと、第２の表示部内の発光部によって表現される明るさと、が異なると知覚されるのを抑制し得る。
【０００８】
表示制御部は、第１の点灯時間率に対する第２の点灯時間率の比が第２の光度に対する第１の光度の比に等しくなるように、第１の点灯時間率と第２の点灯時間率とを決定してもよい。この構成によると、第１の表示部内の発光部によって表現される明るさと、第２の表示部内の発光部によって表現される明るさと、が異なると知覚されるのを適切に抑制し得る。
【０００９】
表示制御部は、Ｍ個の発光部が第１の表示データと第１の点灯時間率とに従って発光する場合の光度と、Ｎ個の発光部が第２の表示データと第２の点灯時間率とに従って発光する場合の光度と、の合計値が、基準光度以下となるように、第１の点灯時間率と第２の点灯時間率とを決定してもよい。この構成によると、表示器は、基準光度以下の光度で第１の画像と第２の画像とを表示することができる。
【００１０】
上記の表示器を実現するための制御方法、コンピュータプログラム、及び、当該コンピュータプログラムを格納するコンピュータ読取可能記録媒体も、新規で有用である。
【図面の簡単な説明】
【００１１】
【図１】表示器の概略図を示す。
【図２】階調と点灯時間率との関係を説明するための説明図を示す。
【図３】第１実施例の表示器が実行する処理を示す。
【図４】第１実施例の具体的なケースＡを示す。
【図５】第２実施例の表示器が実行する処理を示す。
【図６】第２実施例の具体的なケースＢを示す。
【図７】第３実施例の表示器が実行する処理を示す。
【図８】第３実施例の具体的なケースＣを示す。
【図９】第４実施例の表示器が実行する処理を示す。
【図１０】第４実施例の具体的なケースＤを示す。
【発明を実施するための形態】
【００１２】
（第１実施例）
（表示器２の構成；図１）
図１に示される表示器２は、バスに搭載される。表示器２は、バスの外側に向けて、バスの行先等を示す画像を表示する。
【００１３】
表示器２は、表示部１０と、制御装置３０と、を備える。表示部１０は、バスの前面、背面、又は、側面に設置される。制御装置３０は、表示部１０と同様に、バスの前面等に設置されてもよいし、バスの運転席の近傍に設置されてもよい。表示部１０と制御装置３０とは、配線２０によって接続されている。従って、制御装置３０は、配線２０を介して、表示部１０を制御することができる。
【００１４】
表示部１０は、第１の表示部１２と、第２の表示部１４と、を備える。第１の表示部１２と第２の表示部１４とは、水平方向に沿って隣接する。なお、変形例では、第１の表示部１２と第２の表示部１４とは、鉛直方向に沿って隣接していてもよい。第１の表示部１２は、複数色の第１の画像を表示する。第１の画像は、例えば、バスのルート番号（例えば系統番号等）を示す画像である。第２の表示部１４は、単色の第２の画像を表示する。第２の画像は、例えば、バスの最終目的地を示す画像である。
【００１５】
第１の表示部１２は、マトリクス状に配置されているＭ個（Ｍは１以上の整数）の第１の発光部１２ａを備える。具体的に言うと、第１の表示部１２では、水平方向に沿ってｍｘ個の第１の発光部１２ａが並んでおり、鉛直方向に沿ってｍｙ個の第１の発光部１２ａが並んでいる。即ち、Ｍは、ｍｘ×ｍｙである。各第１の発光部１２ａは、赤色（即ちＲ）に発光可能な赤色ＬＥＤ（Light Emitting Diodeの略）と、緑色（即ちＧ）に発光可能な緑色ＬＥＤと、青色（即ちＢ）に発光可能な青色ＬＥＤと、を備える。以下では、１個の第１の発光部１２ａを構成する赤色ＬＥＤ、緑色ＬＥＤ、及び、青色ＬＥＤをまとめて「ＲＧＢＬＥＤ」と呼ぶことがある。
【００１６】
第２の表示部１４は、マトリクス状に配置されているＮ個（Ｎは１以上の整数）の第２の発光部１４ａを備える。具体的に言うと、第２の表示部１４では、水平方向に沿ってｎｘ個の第２の発光部１４ａが並んでおり、鉛直方向に沿ってｎｙ個の第２の発光部１４ａが並んでいる。即ち、Ｎは、ｎｘ×ｎｙである。本実施例では、ＮがＭより大きいが、変形例では、ＮがＭ以下であってもよい。各第２の発光部１４ａは、白色（即ちＷ）に発光可能な１個の白色ＬＥＤのみを備える。なお、「１個の白色ＬＥＤのみを備える」という記載は、複数個のＬＥＤを備えないことを意味しており、白色ＬＥＤに接続される制御線等を備えることを排除するものではない。
【００１７】
制御装置３０は、ＣＰＵ（Central Processing Unitの略）３２と、メモリ３４と、を備える。ＣＰＵ３２は、メモリ３４に格納されているプログラム３６に従って、様々な処理を実行するプロセッサである。メモリ３４は、ＲＡＭ（Random Access Memoryの略）、ＲＯＭ（Read Only Memoryの略）、ハードディスク等によって構成される。メモリ３４は、第１の表示データ記憶領域４０と、第２の表示データ記憶領域５０と、を備える。
【００１８】
第１の表示データ記憶領域４０は、複数個の第１の表示データ４２を記憶する。複数個の第１の表示データ４２のそれぞれは、当該第１の表示データに対応する第１の画像（即ち最終目的地等を示す画像）を第１の表示部１２に表示させるためのＭ個の第１の発光部１２ａの発光パターンを示すデータである。例えば、第１の表示データ４２ａは、第１のルート番号を示す第１の画像に対応し、第１の表示データ４２ｂは、第１のルート番号とは異なる第２のルート番号を示す第１の画像に対応する。
【００１９】
複数個の第１の表示データ４２のそれぞれは、Ｍ個の第１の発光部１２ａに対応するＭ個の階調データを含む。Ｍ個の階調データのそれぞれは、当該階調データに対応する１個の第１の発光部１２ａの位置を示す位置データと、当該１個の第１の発光部１２ａ内の３個のＬＥＤの階調を示す３個の階調値と、を含む。例えば、第１の表示データ４２ａ内の１個の階調データは、位置（１，１）を示す位置データと、３個の階調値（即ち、Ｒ＝７、Ｇ＝８、Ｂ＝１）と、を含む。これは、位置（１，１）に配置されている第１の発光部１２ａにおいて、赤色ＬＥＤ、緑色ＬＥＤ、青色ＬＥＤを、それぞれ、階調「７」、階調「８」、階調「１」で発光させることを意味する。階調は、例えば、「０」〜「８」まで存在する。階調「０」は、発光させないこと（即ち消灯させること）を意味する。階調「１」〜「８」は、発光させることを意味する。ＬＥＤの光度は階調に比例する。即ち、階調が示す数字が大きい程、高い光度で発光することを意味する。
【００２０】
第２の表示データ記憶領域５０は、複数個の第２の表示データ５２を記憶する。複数個の第２の表示データ５２のそれぞれは、当該第２の表示データに対応する第２の画像を第２の表示部１４に表示させるためのＮ個の第２の発光部１４ａの発光パターンを示すデータである。例えば、第２の表示データ５２ａは、第１の最終目的地（例えば「滝山営業所」）を示す第２の画像に対応し、第２の表示データ５２ｂは、第１の最終目的地とは異なる第２の最終目的地（例えば「岐阜駅」）を示す第２の画像に対応する。
【００２１】
複数個の第２の表示データ５２のそれぞれは、Ｎ個の第２の発光部１４ａに対応するＮ個の階調データを含む。Ｎ個の階調データのそれぞれは、当該階調データに対応する１個の第２の発光部１４ａの位置を示す位置データと、当該１個の第２の発光部１４ａ内の白色ＬＥＤの階調を示す階調値と、を含む。例えば、第２の表示データ５２ａ内の１個の階調データは、位置（１，１）を示す位置データと、階調値「３」と、を含む。これは、位置（１，１）に配置されている第２の発光部１４ａ内の白色ＬＥＤを階調「３」で発光させることを意味する。
【００２２】
本実施例では、１個の第１の発光部１２ａ内のＲＧＢＬＥＤの全てが階調「８」で発光する場合に表現される色が、「白色」と定義される。また、１個の第２の発光部１４ａ内の白色ＬＥＤが階調「８」で発光する場合に表現される色が、「白色」と定義される。
【００２３】
（階調と点灯時間率との関係；図２）
続いて、図２を参照して、階調と点灯時間率との関係について説明する。点灯時間率は、後述の基準時間に対する発光素子を実際に点灯させるべき時間の割合である。図２の上の図は、１個のＬＥＤが点灯時間率１００％に従って発光する様子を示す。図２の左右方向（即ち時間軸）には、８個の基準時間が連続的に並んでいる。階調「０」である場合には、ＬＥＤが発光されない。階調「１」である場合には、８個の基準時間のうちの１個の基準時間（即ち「ＯＮ」と記述された基準時間）に亘ってＬＥＤが発光される。即ち、８個の基準時間をまとめて「単位時間」と呼ぶと、単位時間内の１個の基準時間に亘ってＬＥＤが発光される。換言すると、基準時間は、一階調を表現するための時間である。１回の単位時間が終了すると、次の単位時間においても、１個の基準時間に亘ってＬＥＤが発光される。即ち、単位時間内の１個の基準時間に亘ってＬＥＤが発光されることが繰り返される。同様に、階調「２」〜「８」である場合には、単位時間内の２〜８個の基準時間に亘ってＬＥＤが発光させることが繰り返される。
【００２４】
図２の下の図は、１個のＬＥＤが点灯時間率５０％に従って発光する様子を示す。点灯時間率５０％では、点灯時間率１００％と比べて、１個の基準時間内の発光時間が１／２倍になる。より一般的に言うと、１００％よりも小さい点灯時間率Ｚ％では、点灯時間率１００％と比べて、１個の基準時間内の発光時間がＺ／１００倍になる。この結果、ＬＥＤが点灯時間率Ｚ％に従って発光する場合の光度は、当該ＬＥＤが点灯時間率１００％に従って発光する場合の光度のＺ／１００倍になる。
【００２５】
（表示器が実行する処理；図３）
続いて、図３を参照して、表示器２のＣＰＵ３２が実行する処理の内容を説明する。ＣＰＵ３２は、バスの運転手による指定、現在時刻、バスの現在地等に応じて、複数個の第１の表示データ４２のうちの１個の第１の表示データと、複数個の第２の表示データ５２のうちの１個の第２の表示データと、を選択して、図３の処理を開始する。Ｓ１０では、ＣＰＵ３２は、第１の表示部１２のための第１の点灯時間率Ｒ１を１００％に決定する。
【００２６】
Ｓ１２では、ＣＰＵ３２は、第２の光度に対する第１の光度の比ＲＲを算出する。第１の光度は、第１の表示部１２内の１個の第１の発光部１２ａを構成するＲＧＢＬＥＤが、白色を表現するための階調データ（即ち、「Ｒ＝８」、「Ｇ＝８」、「Ｂ＝８」）と、点灯時間率１００％と、に従って発光する場合の光度である。第２の光度は、第２の表示部１４内の１個の第２の発光部１４ａを構成する白色ＬＥＤが、白色を表現するための階調データ（即ち「８」）と、点灯時間率１００％と、に従って発光する場合の光度である。本実施例では、第２の光度は、第１の光度よりも高い。従って、第２の光度に対する第１の光度の比は、パーセントで表現すると、１００％未満になる。この光度の差が、第１の発光部１２ａによって表現される明るさと、第２の発光部１４ａによって表現される明るさと、が異なると知覚され得る要因である。
【００２７】
具体的には、まず、ＣＰＵ３２は、第１の光度を算出する。ＣＰＵ３２は、ＲＧＢＬＥＤが白色を表現するための階調データが「Ｒ＝８」、「Ｇ＝８」、及び、「Ｂ＝８」であるので、単位Ｒ光度、単位Ｇ光度、及び、単位Ｂ光度のそれぞれに「８」を乗算して、３個の乗算値を算出する。これらの単位光度は、メモリ３４に予め記憶されている。これらの単位光度は、それぞれ、１個のＬＥＤ（即ちＲ、Ｇ、又は、Ｂ）が点灯時間率１００％に従って１個の基準時間に亘って発光する場合の光度である。そして、ＣＰＵ３２は、算出済みの３個の乗算値の和である第１の光度を算出する。次いで、ＣＰＵ３２は、第２の光度を算出する。ＣＰＵ３２は、白色ＬＥＤが白色を表現するための階調データが「８」であるので、単位Ｗ光度に「８」を乗じて、第２の光度を算出する。単位Ｗ光度は、１個の白色ＬＥＤが点灯時間率１００％に従って１個の基準時間に亘って発光する場合の光度である。ＣＰＵ３２は、Ｓ１２の式に従って、第２の光度に対する第１の光度の比ＲＲを算出する。
【００２８】
Ｓ１４では、ＣＰＵ３２は、Ｓ１２で算出済みの比ＲＲを利用して、第２の表示部１４のための第２の点灯時間率Ｒ２をＲＲ％に決定する。このように、ＣＰＵ３２は、第１の点灯時間率Ｒ１に対する第２の点灯時間率Ｒ２の比（即ちＲ２／Ｒ１＝ＲＲ／１００）が第２の光度に対する第１の光度の比（即ちＲＲ／１００）に等しくなるように、第１の点灯時間率Ｒ１（即ち１００％）と第２の点灯時間率Ｒ２（ＲＲ％）とを決定する。
【００２９】
Ｓ１６では、ＣＰＵ３２は、選択済みの第１の表示データ内のＭ個の階調データと、Ｓ１０で決定済みの第１の点灯時間率Ｒ１（即ち１００％）と、に従って、第１の表示部１２内のＭ個の第１の発光部１２ａを制御して、第１の画像を第１の表示部１２に表示させる。それと同時に、ＣＰＵ３２は、選択済みの第２の表示データ内のＮ個の階調データと、Ｓ１４で決定済みの第２の点灯時間率Ｒ２（即ちＲＲ％）と、に従って、第２の表示部１４内のＮ個の第２の発光部１４ａを制御して、第２の画像を第２の表示部１４に表示させる。第１の点灯時間率Ｒ１に対する第２の点灯時間率Ｒ２の比は、第２の光度に対する第１の光度の比に等しい。これにより、第１の表示部１２内の１個の発光部１２ａを構成するＲＧＢＬＥＤによって表現される白色の光度は、第２の表示部１４内の１個の発光部１４ａを構成する白色ＬＥＤによって表現される白色の光度に等しくなる。この結果、第１の表示部１２によって表現される明るさと、第２の表示部１４によって表現される明るさと、が異なると知覚されるのを抑制することができる。
【００３０】
（本実施例の具体的なケースＡ；図４）
本実施例の具体的なケースＡを説明する前に、図４を参照して、比較例のケースを説明する。なお、図４等では、１個の発光部の光度をハッチの密度で表現している。具体的には、ハッチの密度が比較的に高い領域では光度が高く（即ちヒトが明るいと知覚し）、ハッチの密度が比較的に低い領域では光度が低い（即ちヒトが暗いと知覚する）。
【００３１】
比較例では、表示器２は、第１の点灯時間率Ｒ１と第２の点灯時間率Ｒ２とのそれぞれを１００％に決定する。即ち、表示器２は、第１の点灯時間率Ｒ１（即ち１００％）に従って第１の画像を第１の表示部１２に表示すると共に、第２の点灯時間率Ｒ２（即ち１００％）に従って第２の画像を第２の表示部１４に表示する。第１の画像は、無点灯である領域と、ルート番号を表わす白色の文字「１５」を示す領域と、緑色の領域と、を含む。第２の画像は、無点灯である領域と、バスの最終目的地を表わす白色の文字「滝山営業所」を示す領域と、を含む。ただし、第１の発光部１２ａが白色を表現するために１００％の点灯時間率に従って発光する場合の光度は、第２の発光部１４ａが白色を表現するために１００％の点灯時間率に従って発光する場合の光度よりも低い。従って、ヒトは、第１の画像内の白色の文字「１５」が第２の画像内の白色の文字「滝山営業所」よりも暗いと知覚し得る。
【００３２】
これに対し、本実施例のケースＡでは、表示器２は、第１の点灯時間率Ｒ１を１００％に決定するが（図３のＳ１０）、第２の点灯時間率Ｒ２を以下のようにして決定する。即ち、表示器２は、Ｓ１２の式に従って、第２の光度に対する第１の光度の比ＲＲ（８１．８）を算出し、この結果、第２の点灯時間率Ｒ２を８１．８％に決定する（Ｓ１４）。従って、表示器２は、第１の点灯時間率Ｒ１（即ち１００％）に従って第１の画像を第１の表示部１２に表示すると共に、第２の点灯時間率Ｒ２（即ち８１．８％）に従って第２の画像を第２の表示部１４に表示する（図３のＳ１６）。
【００３３】
第２の点灯時間率Ｒ２が１００％ではなく８１．８％に決定されるので、第２の画像内の白色の文字「滝山営業所」は、比較例と比べて暗く見える。そして、第１の発光部１２ａが白色を表現するために１００％の点灯時間率に従って発光する場合の光度は、第２の発光部１４ａが白色を表現するために８１．８％の点灯時間率に従って発光する場合の光度に等しい。これらの光度の差がないので、第１の画像内の文字「１５」の明るさと第２の画像内の文字「滝山営業所」の明るさとが異なると知覚されるのを抑制することができる。
【００３４】
（第２実施例）
第１実施例と異なる点を中心に説明する。本実施例では、ＣＰＵ３２は、表示器２が画像を表示する際の第１の表示部１２の光度と第２の表示部１４の光度との合計値が、基準光度以下となるように、第１の点灯時間率Ｒ１と第２の点灯時間率Ｒ２とを決定する。基準光度が設定されている理由は、以下のとおりである。
【００３５】
仮に、公道を走行するバスが高い光度で画像を表示させると、他の車両の運転者が眩しく感じ得るので、当該運転者に悪影響を与え得る。このような事象が発生するのを避けるために、法規制（法律、規則、条例等）において、基準光度が予め決められ得る。また、表示器２のベンダによって自主規制として基準光度が予め決められ得る。当該基準光度は、他の車両の運転者が通常眩しく感じない値に設定される。
【００３６】
（表示器が実行する処理；図５）
続いて、図５を参照して、表示器２のＣＰＵ３２が実行する処理の内容を説明する。Ｓ１１０は、図３のＳ１２と同様である。
【００３７】
ＣＰＵ３２は、Ｓ１１２の式に従って、合計Ｒ光度を算出する。合計Ｒ光度は、Ｍ個の赤色ＬＥＤの光度の和である。式中の合計Ｒ階調は、Ｍ個の階調データに含まれるＲに対応するＭ個の階調値の和である。同様に、ＣＰＵ３２は、Ｓ１１２の式に従って、合計Ｇ光度と合計Ｂ光度とを算出する。式中の合計Ｇ（又はＢ）階調は、Ｍ個の階調データに含まれるＧ（又はＢ）に対応するＭ個の階調値の和である。ＣＰＵ３２は、Ｓ１１４の式に従って、合計３色光度を算出する。合計３色光度は、Ｍ個の第１の発光部１２ａの光度の和である。ＣＰＵ３２は、Ｓ１１６の式に従って、合計Ｗ光度を算出する。合計Ｗ光度は、Ｎ個の第２の発光部１４ａの光度の和である。式中の合計Ｗ階調は、Ｎ個の階調データに含まれるＮ個の階調値の和である。
【００３８】
次いで、ＣＰＵ３２は、Ｓ１１８の式に従って、仮全体光度を算出する。仮全体光度は、第１の点灯時間率Ｒ１が１００％に決定され、第２の点灯時間率Ｒ２がＲＲ％に決定されると仮定した場合における表示部１０の全体の光度（即ち合計３色光度と合計Ｗ光度との和）である。Ｓ１２０では、ＣＰＵ３２は、仮全体光度が基準光度よりも高いのか否かを判断する。ＣＰＵ３２は、仮全体光度が基準光度よりも高いと判断する場合（Ｓ１２０でＹＥＳ）に、Ｓ１２２に進む。一方、ＣＰＵ３２は、仮全体光度が基準光度以下であると判断する場合（Ｓ１２０でＮＯ）に、Ｓ１２６に進む。
【００３９】
ＣＰＵ３２は、Ｓ１２２の式に従って、第１の点灯時間率Ｒ１を決定し、Ｓ１２４の式に従って、第２の点灯時間率Ｒ２として決定する。Ｓ１２２の第１の点灯時間率Ｒ１に対するＳ１２４の第２の点灯時間率Ｒ２の比は、第２の光度に対する第１の光度の比（即ちＲＲ／１００）に等しい。また、Ｓ１２２，Ｓ１２４において決定される第１の点灯時間率Ｒ１と第２の点灯時間率Ｒ２とが利用されると、表示部１０の全体の光度は基準光度以下になる。
【００４０】
Ｓ１２６，Ｓ１２８は、それぞれ、図３のＳ１０，Ｓ１４と同様である。Ｓ１２６の第１の点灯時間率Ｒ１に対するＳ１２８の第２の点灯時間率Ｒ２の比は、第２の光度に対する第１の光度の比（即ちＲＲ／１００）に等しい。Ｓ１２０でＮＯと判断されているので、Ｓ１２６，Ｓ１２８において決定される第１の点灯時間率Ｒ１と第２の点灯時間率Ｒ２とが利用されると、表示部１０の全体の光度は基準光度以下になる。Ｓ１３０は、図３のＳ１６と同様である。
【００４１】
（ケースＢ；図６）
続いて、図６を参照して、図５の処理に従って実現されるケースＢを説明する。ケースＢでは、表示される第１の画像、第２の画像は、それぞれ、図４のケースＡの第１の画像、第２の画像と同様である。まず、表示器２は、図５のＳ１１０の式に従って、ＲＲ（８１．８）を算出する。次いで、表示器２は、Ｓ１１２の式に従って、合計Ｒ光度（１３．４２ｃｄ（Candelaの略））と合計Ｇ光度（３６．２６ｃｄ）と合計Ｂ光度（２．３２ｃｄ）とを算出し、Ｓ１１４の式に従って、合計３色光度（５２．００ｃｄ）を算出し、Ｓ１１６の式に従って、合計Ｗ光度（３４６．５９ｃｄ）を算出する。次いで、表示器２は、図５のＳ１１８の式に従って、仮全体光度（３３５．５１ｃｄ）を算出し、仮全体光度が基準光度（３００ｃｄ）よりも高いと判断する（図５のＳ１２０でＹＥＳ）。次いで、表示器２は、図５のＳ１２２の式に従って、第１の点灯時間率Ｒ１を８９．４％に決定し、Ｓ１２４の式に従って、第２の点灯時間率Ｒ２を７３．１％に決定する。
【００４２】
表示器２は、第１の点灯時間率Ｒ１（即ち８９．４％）に従って第１の画像を第１の表示部１２に表示すると共に、第２の点灯時間率Ｒ２（即ち７３．１％）に従って第２の画像を第２の表示部１４に表示する（Ｓ１３０）。これにより、表示器２は、基準光度以下の光度で第１の画像と第２の画像とを表示することができる。また、図４のケースＡと同様に、第１の画像内の文字「１５」の明るさと第２の画像内の文字「滝山営業所」の明るさとが異なると知覚されるのを抑制することができる。
【００４３】
（第３実施例）
第１実施例と異なる点を中心に説明する。本実施例では、第１の画像内の黄色の明るさと、第２の画像内の黄色の明るさと、が異なると知覚されるのを抑制する。図１に示されるように、本実施例では、各第２の発光部１４ａは、白色ＬＥＤに代えて、黄色（即ちＹ）に発光可能な１個の黄色ＬＥＤを備える。本実施例では、黄色ＬＥＤが階調「８」で発光する場合に表現される色が、「黄色」と定義される。従って、例えば、黄色ＬＥＤが階調「７」で発光する場合に表現される色は、「黄色」ではなく、「黄色」に近い色である。また、１個の第１の発光部１２ａ内の赤色ＬＥＤが階調「４」で発光し、緑色ＬＥＤが階調「１」で発光する場合に表現される色が、「黄色」と定義される。
【００４４】
（表示器が実行する処理；図７）
続いて、図７を参照して、表示器２のＣＰＵ３２が実行する処理の内容を説明する。Ｓ２１０では、ＣＰＵ３２は、第１の光度に対する第２の光度の比であるＲＲを算出する。本実施例では、第１の光度は、１組のＲＧＢＬＥＤが黄色を表現するための階調データ（即ち、「Ｒ＝４」、「Ｇ＝１」、「Ｂ＝０」）と点灯時間率１００％とに従って発光する場合の光度である。本実施例では、第２の光度は、１個の黄色ＬＥＤが黄色を表現するための階調データ（即ち「Ｙ＝８」）と点灯時間率１００％とに従って発光する場合の光度である。本実施例では、第１の光度は、第２の光度よりも高い。従って、第１の光度に対する第２の光度の比は、パーセントで表現すると、１００％未満になる。
【００４５】
Ｓ２１２，Ｓ２１４は、それぞれ、図５のＳ１１２，Ｓ１１４と同様である。Ｓ２１６では、ＣＰＵ３２は、Ｓ２１６の式に従って、合計Ｙ光度を算出する。合計Ｙ光度は、Ｎ個の黄色ＬＥＤの光度の和である。式中の合計Ｙ階調は、Ｎ個の階調データに含まれるＮ個の階調値の和である。
【００４６】
ＣＰＵ３２は、Ｓ２１８の式に従って、仮全体光度を算出する。本実施例では、仮全体光度は、第１の点灯時間率Ｒ１がＲＲ％に決定され、第２の点灯時間率Ｒ２が１００％に決定されると仮定した場合における表示部１０の全体の光度（即ち合計３色光度と合計Ｙ光度との和）である。Ｓ２２０は、図５のＳ１２０と同様である。
【００４７】
ＣＰＵ３２は、Ｓ２２２の式に従って、第１の点灯時間率Ｒ１を決定し、Ｓ２２４の式に従って、第２の点灯時間率Ｒ２を決定する。Ｓ２２２の第１の点灯時間率Ｒ１に対するＳ２２４の第２の点灯時間率Ｒ２の比は、第２の光度に対する第１の光度の比（即ち１００／ＲＲ）に等しい。Ｓ２２２，Ｓ２２４において決定される第１の点灯時間率Ｒ１と第２の点灯時間率Ｒ２とが利用されると、表示部１０の全体の光度は基準光度以下になる。
【００４８】
ＣＰＵ３２は、Ｓ２２６において、第１の点灯時間率Ｒ１をＲＲ％に決定し、Ｓ２２８において、第２の点灯時間率Ｒ２を１００％に決定する。Ｓ２２６の第１の点灯時間率Ｒ１に対するＳ２２８の第２の点灯時間率Ｒ２の比は、第２の光度に対する第１の光度の比（即ち１００／ＲＲ）に等しい。Ｓ２２０でＮＯと判断されているので、Ｓ２２６，Ｓ２２８において決定される第１の点灯時間率Ｒ１と第２の点灯時間率Ｒ２とが利用されると、表示部１０の全体の光度は基準光度以下になる。
【００４９】
（ケースＣ；図８）
続いて、図８を参照して、図７の処理に従って実現されるケースＣを説明する。ケースＣの第１の画像は、無点灯である領域と、黄色の文字「五」と、黄色の文字「四」の一部と、を示す領域を含む。第２の画像は、無点灯である領域と、黄色の文字「四」の他の一部と、黄色の文字「三弐」を示す領域と、を含む。まず、表示器２は、図７のＳ２１０の式に従って、ＲＲ（７６．５）を算出する。なお、本ケースＣのＲＧＢＬＥＤは、図４，６のケースＡ，ＢのＲＧＢＬＥＤとは性能が異なるため、本ケースの単位Ｒ光度、単位Ｇ光度、単位Ｂ光度は、それぞれ、ケースＡ，Ｂの単位Ｒ光度、単位Ｇ光度、単位Ｂ光度とは異なる。次いで、表示器２は、図７のＳ２１２の式に従って、合計Ｒ光度（５３．５５ｃｄ）と合計Ｇ光度（３４．４３ｃｄ）と合計Ｂ光度（０ｃｄ）とを算出する。次いで、表示器２は、Ｓ２１４の式に従って、合計３色光度（８７．９８ｃｄ）を算出し、Ｓ２１６の式に従って、合計Ｙ光度（９１．９６ｃｄ）を算出する。次いで、表示器２は、図７のＳ２１８の式に従って、仮全体光度（１５９．２６ｃｄ）を算出し、仮全体光度が基準光度（１００ｃｄ）よりも高いと判断する（図７のＳ２２０でＹＥＳ）。なお、ケースＣの基準光度は、図６のケースＢの基準光度（３００ｃｄ）とは異なる。このように基準光度が異なる理由は、例えば、表示器２が設置される位置（即ちバスの前面、後面、側面等）によって、許容される光度が異なるからである。次いで、表示器２は、図７のＳ２２２の式に従って、第１の点灯時間率Ｒ１を４８．０％に決定し、Ｓ２２４の式に従って、第２の点灯時間率Ｒ２を６２．８％に決定する。
【００５０】
表示器２は、第１の点灯時間率Ｒ１（即ち４８．０％）に従って第１の画像を第１の表示部１２に表示すると共に、第２の点灯時間率Ｒ２（即ち６２．８％）に従って第２の画像を第２の表示部１４に表示する（Ｓ２３０）。これにより、表示器２は、基準光度以下の光度で第１の画像と第２の画像とを表示することができる。また、第１の発光部１２ａが黄色を表現するために４８．０％の点灯時間率に従って発光する場合の光度は、第２の発光部１４ａが黄色を表現するために６２．８％の点灯時間率に従って発光する場合の光度に等しい。これらの光度の差がないので、第１の画像内の文字「五四」の明るさと第２の画像内の文字「四三弐」の明るさとが異なると知覚されるのを抑制することができる。
【００５１】
（第４実施例）
第３実施例と異なる点を中心に説明する。図１に示されるように、本実施例でも、第１の画像内の黄色の明るさと、第２の画像内の黄色の明るさと、が異なると知覚されるのを抑制する。本実施例では、各第２の発光部１４ａは、黄色ＬＥＤに代えて、赤色（即ちｒ）に発光可能な１個の赤色ＬＥＤと、緑色（即ちｇ）に発光可能な１個の緑色ＬＥＤと、を備える。本実施例では、１個の第２の発光部１４ａ内の赤色ＬＥＤが階調「６」で発光し、緑色ＬＥＤが階調「２」で発光する場合に表現される色が、「黄色」と定義される。また、第３実施例と同様に、１個の第１の発光部１２ａ内の赤色ＬＥＤが階調「４」で発光し、緑色ＬＥＤが階調「１」で発光する場合に表現される色が、「黄色」と定義される。以下では、各第２の発光部１４ａを構成する赤色ＬＥＤ及び緑色ＬＥＤをまとめて「ｒｇＬＥＤ」と呼ぶことがある。
【００５２】
また、本実施例では、第２の表示データ記憶領域５０は、複数個の第２の表示データ５２に代えて、複数個の第２の表示データ６２を記憶する。複数個の第２の表示データ６２のそれぞれは、Ｎ個の第２の発光部１４ａに対応するＮ個の階調データを含む。Ｎ個の階調データのそれぞれは、当該階調データに対応する１個の第２の発光部１４ａの位置を示す位置データと、当該１個の第２の発光部１４ａ内の２個のＬＥＤの階調を示す２個の階調値と、を含む。例えば、第２の表示データ６２ａ内の１個の階調データでは、位置データが（１，１）を示し、２個の階調値（即ち、Ｒ＝６、Ｇ＝２）と、を含む。これは、位置（１，１）に配置されている第２の発光部１４ａにおいて、赤色ＬＥＤ、緑色ＬＥＤを、それぞれ、階調「６」、階調「２」で発光させることを意味する。
【００５３】
（表示器が実行する処理；図９）
続いて、図９を参照して、表示器２のＣＰＵ３２が実行する処理の内容を説明する。Ｓ３１０では、ＣＰＵ３２は、第１の光度に対する第２の光度の比ＲＲを算出する。本実施例の第１の光度は、第３実施例の第１の光度と同様である。本実施例の第２の光度は、１組のｒｇＬＥＤが黄色を表現するための階調データ（即ち「ｒ＝６」、「ｇ＝２」）と点灯時間率１００％とに従って発光する場合の光度である。式中の単位ｒ（又はｇ）光度は、１個の赤（又は緑）色ＬＥＤが点灯時間率１００％に従って１個の基準時間に亘って発光する場合の光度である。本実施例では、第１の光度は、第２の光度よりも高い。従って、第１の光度に対する第２の光度の比は、パーセントで表現すると、１００％未満になる。
【００５４】
Ｓ３１２，Ｓ３１４は、それぞれ、図７のＳ２１２，Ｓ２１４と同様である。Ｓ３１６では、ＣＰＵ３２は、合計ｒ光度と合計ｇ光度とを算出する。合計ｒ（又はｇ）光度は、第２の発光部１４ａが備えるＮ個の赤（又は緑）色ＬＥＤの光度の和である。式中の「合計ｒ（又はｇ）階調は、Ｎ個の階調データに含まれるｒ（又はｇ）に対応する階調値の和である。ＣＰＵ３２は、Ｓ３１８の式に従って、合計２色光度を算出する。合計２色光度は、Ｎ個の第２の発光部１４ａの光度の和である。
【００５５】
Ｓ３２０では、ＣＰＵ３２は、Ｓ３２０の式に従って、仮全体光度を算出する。本実施例では、仮全体光度は、第１の点灯時間率Ｒ１がＲＲ％に決定され、第２の点灯時間率Ｒ２が１００％に決定されると仮定した場合における表示部１０の全体の光度（即ち合計３色光度と合計２色光度との和）である。Ｓ３２２〜Ｓ３３２は、それぞれ、図７のＳ２２０〜Ｓ２３０と同様である。本実施例でも、第３実施例と同様の効果を奏することができる。
【００５６】
（ケースＤ；図１０）
続いて、図１０を参照して、図９の処理に従って実現されるケースＤを説明する。ケースＤでは、表示器２は、図８のケースＣと同様の第１の画像と第２の画像とを表示する。まず、表示器２は、図９のＳ３１０の式に従って、ＲＲ（５５．７）を算出する。次いで、表示器２は、Ｓ３１２の式に従って、合計Ｒ光度（３２．１３ｃｄ）と合計Ｇ光度（２０．６６ｃｄ）と合計Ｂ光度（０ｃｄ）とを算出し、Ｓ３１４の式に従って、合計３色光度（５２．７９ｃｄ）を算出する。次いで、表示器２は、図９のＳ３１６の式に従って、合計Ｒ光度（１８．８１ｃｄ）と合計ｇ光度（２１．３２ｃｄ）とを算出し、Ｓ３１８の式に従って、合計２色光度（４０．１３ｃｄ）を算出する。次いで、表示器２は、図９のＳ３２０の式に従って、仮全体光度（６９．５３ｃｄ）を算出し、仮全体光度が基準光度（１００ｃｄ）以下であると判断する（Ｓ３２２でＮＯ）。次いで、表示器２は、ＲＲを用いて、第１の点灯時間率Ｒ１を５５．７％に決定し（Ｓ３２８）、第２の点灯時間率Ｒ２を１００％に決定する（Ｓ３３０）。
【００５７】
表示器２は、第１の点灯時間率Ｒ１（即ち５５．７％）に従って第１の画像を第１の表示部１２に表示すると共に、第２の点灯時間率Ｒ２（即ち１００％）に従って第２の画像を第２の表示部１４に表示する（Ｓ３３２）。これにより、図８のケースＣと同様の効果を奏することができる。
【００５８】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００５９】
（変形例１）第１，２，４実施例では、第１の表示部１２内の各第１の発光部１２ａは、例えば、黄色ＬＥＤをさらに備えていてもよい。また、第３実施例では、各第１の発光部１２ａは、例えば、赤色ＬＥＤ、緑色ＬＥＤのみを備えていてもよい。即ち、「Ｘ」は、２以上の整数であればよい。
【００６０】
（変形例２）第４実施例では、第２の表示部１４内の各第２の発光部１４ａは、赤色ＬＥＤ及び緑色ＬＥＤのみならず、例えば、白色ＬＥＤをさらに備えていてもよい。即ち、「Ｙ」は、１以上の整数であればよい。
【００６１】
（変形例３）「所定色」は、上記の第１，２実施例では白色であり、上記の第３，４実施例では黄色である。しかし、「所定色」は、その他の色であってもよく、「Ｘ個の発光素子」が表現可能な色であり、かつ、「Ｙ個の発光素子」が表現可能な色であれば、いかなる色であってもよい。
【００６２】
（変形例４）上記の各実施例では、第１の点灯時間率Ｒ１に対する第２の点灯時間率Ｒ２の比は、第２の光度に対する第１の光度の比に等しいが（図３のＳ１０〜Ｓ１４等）、変形例では、等しくなくてもよい。例えば、図３のケースＡにおいて、第１の点灯時間率Ｒ１に対する第２の点灯時間率Ｒ２の比が、第２の光度に対する第１の光度の比（０．８１８）とは異なる値０．８５であってもよい。この場合、表示器２は、第１の点灯時間率Ｒ１を１００％に決定し、第２の点灯時間率Ｒ２を８５％に決定する。この場合、第１の発光部１２ａが白色を表現するために発光する場合の光度と、第２の発光部１４ａが白色を表現するために発光する場合の光度と、の差は、比較例におけるこれらの光度の差よりも小さい。従って、第１の画像内の文字「１５」の明るさと第２の画像内の文字「滝山営業所」の明るさとが異なると知覚されるのを抑制することができる。
【００６３】
（変形例５）ＣＰＵ３２は、各単位光度をメモリ３４に予め記憶してなくてもよく、単位光度を算出する処理を実行してもよい。例えば、ＣＰＵ３２は、予めメモリ３４に記憶されている初期単位光度に劣化係数を乗算して、単位光度を算出してもよい。初期単位光度は、表示器２の製造日時における単位光度である。劣化係数は、ＬＥＤの劣化によって光度が小さくなる度合を示す数である。劣化係数は、表示器２の製造日時から経過した時間に応じた数である。
【００６４】
（変形例６）表示器２は、バスに搭載されなくてもよく、例えば、警察車両、消防車両、工事のための車両等の他の車両に設置されてもよい。また、各表示部１２，１４は、ＬＥＤに代えて、他の種類の発光素子（例えば有機ＥＬ（Electro-Luminescenceの略））を備えていてもよい。
【００６５】
（変形例７）上記の実施例では、ＣＰＵ３２がプログラム３６（即ちソフトウェア）を実行することによって、図３、図５、図７、及び、図９の各処理が実現される。これに代えて、図３、図５、図７、及び、図９の各処理のうちの少なくとも１つの処理は、論理回路等のハードウェアによって実現されてもよい。
【００６６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００６７】
２：表示器、１０：表示部、１２：第１の表示部、１２ａ：第１の発光部、１４：第２の表示部、１４ａ：第２の発光部、２０：配線、３０：制御装置、３２：ＣＰＵ、３４：メモリ、３６：プログラム、４０：第１の表示データ記憶領域、４２，４２ａ，４２ｂ：第１の表示データ、５０：第２の表示データ記憶領域、５２，５２ａ，５２ｂ，６２，６２ａ：第２の表示データ、Ｒ１：第１の点灯時間率、Ｒ２：第２の点灯時間率
【図１】
0006610032.tif 000002
【図２】
0006610032.tif 000003
【図３】
0006610032.tif 000004
【図４】
0006610032.tif 000005
【図５】
0006610032.tif 000006
【図６】
0006610032.tif 000007
【図７】
0006610032.tif 000008
【図８】
0006610032.tif 000009
【図９】
0006610032.tif 000010
【図１０】
0006610032.tif 000011